(57)【特許請求の範囲】
【請求項１】
電池缶の開口部を封止すべく溶接部を介して前記開口部に装着されてなる密閉型電池用封口体であって、
前記開口部を塞ぐために設けられ、中央に貫通孔を有する金属製の封口板と、
前記封口板の貫通孔に挿通され、柱状の端子本体と、その端子本体における缶外側端部に突設されたフランジ部とを有する金属製の端子と、
前記フランジ部の上面に配置される板状のＰＴＣ素子と、
前記ＰＴＣ素子上に重ねて配置されるとともに前記ＰＴＣ素子を横方向から取り囲むように外周端が折り曲げられ、前記フランジ部との間に前記ＰＴＣ素子を挟み込んで固定するキャップ部材と、
前記キャップ部材と前記フランジ部との接触部位に介在される絶縁シートと、
前記封口板、前記端子、前記キャップ部材及び前記絶縁シートがなす隙間を埋める状態で形成された樹脂製パッキングと
を備え、
前記樹脂製パッキングにより前記封口板、前記端子、前記キャップ部材及び前記絶縁シートが一体的に固定され、
前記端子本体は、中空部を有する有底中空状でありかつ内圧解放用の樹脂製のガス排出弁を内蔵している
ことを特徴とする密閉型電池用封口体。
【請求項２】
前記ガス排出弁は、前記端子本体の底部に透設されたガス排出孔を前記中空部側から塞ぐ樹脂片であることを特徴とする請求項１に記載の密閉型電池用封口体。
【請求項３】
前記端子本体は、前記缶外側端部から缶内側端部に行くに従って径が大きくなるようテーパ状に形成されていることを特徴とする請求項１または２に記載の密閉型電池用封口体。
【請求項４】
前記端子本体は、その軸方向から見て非円形状となるよう形成されていることを特徴とする請求項１乃至３のいずれか１項に記載の密閉型電池用封口体。
【請求項５】
請求項１乃至４のいずれか１項に記載の密閉型電池用封口体を用いて電池缶の開口部を封止したことを特徴とする密閉型電池。
【請求項６】
請求項１乃至４のいずれか１項に記載の密閉型電池用封口体を構成する前記封口板、前記端子、前記キャップ部材及び前記絶縁シートを用意するとともに、樹脂インサート成形によって前記封口板、前記端子、前記キャップ部材及び前記絶縁シートがなす隙間を前記樹脂製パッキングで埋めることにより、前記封口体を製造する工程と、
前記封口体を前記電池缶の開口部に配置して前記封口板の端部をレーザ溶接することで前記電池缶を封止する工程と
を含むことを特徴とする密閉型電池の製造方法。
【発明の詳細な説明】
【技術分野】
【０００１】
本発明は、電流保護機能を有するＰＴＣ素子を備えた密閉型電池用封口体、その封口体を装着した密閉型電池及びその製造方法に関するものである。
【背景技術】
【０００２】
従来、カメラやライトなどの携帯型電気機器の電源として、組電池が搭載されている。この種の組電池では、複数本の電池を直列に接続して大電流を流す構成となっており、その保護素子として、ＰＴＣ（Positive Temperature Coefficient）素子が用いられている（特許文献１，２等参照）。このＰＴＣ素子は、通常は低抵抗であるが、電池に大電流が流れて電池温度が上昇したときに、電気抵抗が増大する。従って、このＰＴＣ素子を用いれば、電気機器の故障時に回路素子等が短絡して大電流が流れたとしても、電池の電流を遮断することができる。
【０００３】
また、リチウム一次電池などの密閉型電池では、電池缶の開口部にレーザ溶接により封口体を接続して電池を密閉封止するものが実用化されている。その封口体６０の従来例を図６に示す。図６の封口体６０は、封口板６１と、封口板６１の中央孔６２に樹脂製パッキング６３を介して装着される負極端子６４と、負極端子６４を固定するためのワッシャ６５とを備えている。この封口体６０では、負極端子６４の下端部にワッシャ６５を嵌めこんだ状態で負極端子５４をリベット方式でかしめて樹脂製パッキング６３を圧縮することで、密閉性を保ちつつ負極端子６４が封口板６１に固定されている。そして、電池缶の開口部に封口体６０を嵌め込んで封口板６１の外周部をレーザ溶接することにより、電池が封止される。
【０００４】
上述した特許文献１，２では、電池の端子部に外付けされるタイプのＰＴＣ素子が開示されている。これに対して、本発明者らは、レーザ封口方式の封口体にＰＴＣ素子を内蔵した製品を検討している。その具体例を図７に示す。図７に示す封口体７０では、負極端子７１の上端に設けられたフランジ部７２上に円板状のＰＴＣ素子７３が配置されている。また、ＰＴＣ素子７３を取り囲むようにキャップ部材７４を装着し、そのキャップ部材７４とフランジ部７２との間にＰＴＣ素子７３を挟み込むことでＰＴＣ素子７３を固定している。
【先行技術文献】
【特許文献】
【０００５】
【特許文献１】特開２０００−３４０１９２号公報
【特許文献２】実開平１−８１８７０号公報
【発明の概要】
【発明が解決しようとする課題】
【０００６】
ところで、図７の構成の封口体７０では、リベット方式で負極端子７１をかしめる際に、負極端子７１に大きな負荷が加わる。このため、負極端子７１の上部にＰＴＣ素子７３を装着する場合、その部品強度を十分に保つことができないという問題がある。
【０００７】
また、図７のようなレーザ封口方式の封口体７０にＰＴＣ素子７３を内蔵した製品を実現するにあたっては、安全性の向上を目的として、電池内圧の上昇時にその圧力を速やかに解放できるガス排出弁を設けることが望ましいと考えられる。その具体例としては、封口板６１等の金属製部材に溝加工を施してノッチ弁を形成した構造などを挙げることができる。ただし、この構造を採用した場合には製造コストの上昇が避けられないことから、比較的低コストで実現できるガス排出弁の構造が望まれている。
【０００８】
本発明は上記の課題に鑑みてなされたものであり、その目的は、ＰＴＣ素子を内蔵するとともに、電池内圧の上昇時にその圧力を速やかに解放することができる密閉型電池用封口体を提供することにある。また、別の目的は、ＰＴＣ素子を内蔵した封口体を用いてより安全性の高い密閉型電池を提供することにある。さらに、別の目的は、製造コストを抑えることができる密閉型電池の製造方法を提供することにある。
【課題を解決するための手段】
【０００９】
上記課題を解決するための手段［１］〜［６］を以下に列挙する。
【００１０】
［１］電池缶の開口部を封止すべく溶接部を介して前記開口部に装着されてなる密閉型電池用封口体であって、前記開口部を塞ぐために設けられ、中央に貫通孔を有する金属製の封口板と、前記封口板の貫通孔に挿通され、柱状の端子本体と、その端子本体における缶外側端部に突設されたフランジ部とを有する金属製の端子と、前記フランジ部の上面に配置される板状のＰＴＣ素子と、前記ＰＴＣ素子上に重ねて配置されるとともに前記ＰＴＣ素子を横方向から取り囲むように外周端が折り曲げられ、前記フランジ部との間に前記ＰＴＣ素子を挟み込んで固定するキャップ部材と、前記キャップ部材と前記フランジ部との接触部位に介在される絶縁シートと、前記封口板、前記端子、前記キャップ部材及び前記絶縁シートがなす隙間を埋める状態で形成された樹脂製パッキングとを備え、前記樹脂製パッキングにより前記封口板、前記端子、前記キャップ部材及び前記絶縁シートが一体的に固定され、前記端子本体は、中空部を有する有底中空状でありかつ内圧解放用の樹脂製のガス排出弁を内蔵していることを特徴とする密閉型電池用封口体。
【００１１】
従って、手段１に記載の発明によると、封口板、樹脂製パッキング、端子、ＰＴＣ素子、キャップ部材、及び絶縁シートが一体的に形成される。この場合、従来技術のようなリベット方式で負極端子をかしめる必要がないため、ＰＴＣ素子に大きな負荷を加えることなく、封口体にＰＴＣ素子を内蔵することができる。また、有底中空状の端子本体に内圧解放用の樹脂製のガス排出弁を内蔵しているため、電池内圧の上昇時にはガス排出弁が開放状態となり、圧力が速やかに解放される。よって、安全性をよりいっそう向上させることができる。しかも、樹脂製のガス排出弁を用いているため、金属製部材に対する溝加工が不要になり、製造コスト高を回避することができる。また、本発明の封口体は、従来技術のリベット方式の場合のようにワッシャを用いなくてもよいため、部品点数を減らすことができる。さらに、ワッシャの体積分だけ電池缶内の容量を確保することができる。このため、本発明の封口体を用いると、電池缶内における電解液や電極活物質を増量することができ、密閉型電池の放電特性を高めることができる。
【００１２】
［２］手段１において、前記ガス排出弁は、前記端子本体の底部に透設されたガス排出孔を前記中空部側から塞ぐ樹脂片であることを特徴とする密閉型電池用封口体。
【００１３】
従って、手段２に記載の発明によると、電池内圧の上昇時には、樹脂片が裂けたり剥がれたりすること等により、閉塞されていたガス排出孔が開放状態となり、そのガス排出孔を介して、圧力が速やかに解放される。
【００１４】
［３］手段１または２において、前記端子本体は、前記缶外側端部から缶内側端部に行くに従って径が大きくなるようテーパ状に形成されていることを特徴とする密閉型電池用封口体。
【００１５】
従って、手段３に記載の発明によると、端子本体におけるテーパ状の部分が楔となることで封口板から端子が抜け難くなり、封口体の部品信頼性が向上する。
【００１６】
［４］手段１乃至３のいずれか１項において、前記端子本体は、その軸方向から見て非円形状となるよう形成されていることを特徴とする密閉型電池用封口体。
【００１７】
従って、手段４に記載の発明によると、端子本体が非円形状であるので、封口体における端子の回転を防止することができ、封止性が高められる。
【００１８】
［５］手段１乃至４のいずれか１項に記載の密閉型電池用封口体を用いて電池缶の開口部を封止したことを特徴とする密閉型電池。
【００１９】
従って、手段５に記載の発明によると、ＰＴＣ素子の内蔵した封口体を用いて電池缶の開口部を確実に封止することができる。
【００２０】
［６］手段１乃至４のいずれか１項に記載の密閉型電池用封口体を構成する前記封口板、前記端子、前記キャップ部材及び前記絶縁シートを用意するとともに、樹脂インサート成形によって前記封口板、前記端子、前記キャップ部材及び前記絶縁シートがなす隙間を前記樹脂製パッキングで埋めることにより、前記封口体を製造する工程と、前記封口体を前記電池缶の開口部に配置して前記封口板の端部をレーザ溶接することで前記電池缶を封止する工程とを含むことを特徴とする密閉型電池の製造方法。
【００２１】
従って、手段６に記載の発明によると、ＰＴＣ素子を内蔵した封口体が樹脂インサート成形にて一体的に形成される。その後、封口体が電池缶の開口部に配置され、封口板の端部をレーザ溶接することで電池缶が封止される。このようにすると、密閉型電池の組み付け時における部品点数を少なくすることができる。また、密閉型電池の組み付け後にＰＴＣ素子を取り付ける必要がないため、密閉型電池の生産性が向上し、製造コストを抑えることができる。
【発明の効果】
【００２２】
以上詳述したように、手段１乃至４に記載の発明によると、ＰＴＣ素子を内蔵するとともに、電池内圧の上昇時にその圧力を速やかに解放することができる密閉型電池用封口体を提供することができる。また、手段５に記載の発明によると、ＰＴＣ素子を内蔵した封口体を用いてより安全性の高い密閉型電池を提供することができる。手段６に記載の発明によると、密閉型電池の製造コストを抑えることができる。
【図面の簡単な説明】
【００２３】
【図１】一実施の形態のリチウム一次電池の概略構成を示す要部断面図。
【図２】一実施の形態の封口体を示す下面図。
【図３】図２の封口体のＡ−Ａ線における断面図。
【図４】図２の封口体のＢ−Ｂ線における断面図。
【図５】別の実施の形態の封口体を示す断面図。
【図６】従来技術の封口体を示す断面図。
【図７】従来技術の封口体にＰＴＣ素子を内蔵した場合の例を示す断面図。
【発明を実施するための形態】
【００２４】
以下、本発明を具体化した一実施の形態を図面に基づき詳細に説明する。図１は本実施の形態におけるリチウム一次電池１０（密閉型電池）の概略構成を示す要部断面図である。
【００２５】
図１に示されるように、リチウム一次電池１０は、有底筒状の正極缶１１（電池缶）と、その正極缶１１内に非水電解液とともに収納される電極体１２と、正極缶１１の開口部１３に装着される封口体１５とを備える。
【００２６】
正極缶１１は、例えばステンレス鋼板を有底筒状にプレス成形することで作製されている。電極体１２は、帯状の正極２１と帯状の負極２２とがセパレータ２３を介して重ねられ、これらを巻回することで形成されている。正極２１は、例えば二酸化マンガンを含んだ正極材を網目状に加工したステンレス板（正極集電体）に圧着し、それを帯状に切断することで形成される。負極２２は、例えばリチウム−アルミニウム合金板を帯状に切断することで形成される。
【００２７】
封口体１５は、金属板（例えばステンレス鋼板）からなる封口板３１と、樹脂製パッキング３２と、負極端子３３と、ＰＴＣ素子３４と、キャップ部材３５と、絶縁リング３６とを備えている。封口体１５において、負極端子３３の下端面にリード部材３７が溶接されており、負極端子３３はそのリード部材３７を介して電極体１２の負極２２に電気的に接続されている。さらに、電極体１２の正極２１は、リード部材３８を介して正極缶１１の内側壁に電気的に接続されている。
【００２８】
封口板３１は、正極缶１１の開口部１３の形状に合わせて円板状に形成されており、その中央に貫通孔４１が形成されている。封口板３１の貫通孔４１に樹脂製パッキング３２を介して負極端子３３が固定されている。図１及び図２に示されるように、負極端子３３は、柱状の端子本体３０と、その端子本体３０における缶外側端部（図１では上端部）に一体的に突設されたフランジ部４２とを有する金属製の部材である。負極端子３３における端子本体３０は、貫通孔４１の中央部に挿通されている。
【００２９】
本実施形態の負極端子３３における端子本体３０は、缶外側端部にて開口する中空部３０ａを有するとともに、缶内側端部（図１では下端部）を閉塞する底部３０ｂを有している。つまり、この端子本体３０は有底中空状をなしている。また、この端子本体３０は、周方向への回転を規制して封口体１５の封止性を高めるために、その軸方向から見て楕円形状（非円形状）となるよう形成されている（図２参照）。楕円形状をなす端子本体３０の長径に沿って切断した断面においては、端子本体３０の外周面は、缶外側端部から缶内側端部に行くに従って径が大きくなるテーパ状をなしている（図３参照）。楕円形状をなす端子本体３０の短径に沿って切断した断面においては、端子本体３０の外周面は、特にテーパ状をなしていない（図４参照）。ここで、負極端子３３は、例えば金属製の板材をプレス加工することで形成される。プレス加工によれば、楕円形状などの非円形状かつ中空状の端子本体３０を有する負極端子３３を比較的容易に形成することができる。
【００３０】
樹脂製パッキング３２は、負極端子３３の外周面と貫通孔４１の内周面との隙間を埋めるとともに、封口板３１における貫通孔４１の周囲部を覆うように円板状に形成されている。より詳しくは、樹脂製パッキング３２は、封口板３１において貫通孔４１の周囲部における表面及び裏面を挟み込むようにして密着固定されている。
【００３１】
ＰＴＣ素子３４は、素子表面及び素子裏面を有する円板状であり、その中央部に貫通孔４５が形成されている。このＰＴＣ素子３４は、正温度特性を有する導電性ポリマー材料を素子電極（具体的には、板状のニッケル電極）間に挟み込んだ構造を有し、温度が上昇することにより、抵抗値が増大する。
【００３２】
キャップ部材３５は、例えば、ニッケルめっき鋼板などの導電性材料を用いてキャップ状に形成されている。具体的には、キャップ部材３５は、かしめ加工によって、ＰＴＣ素子３４を取り囲むように外周端が折り曲げられており、フランジ部４２との間にＰＴＣ素子３４を挟み込んで固定している。また、キャップ部材３５とフランジ部４２との嵌合部分、つまり、キャップ部材３５の折曲がっている外周端の内側部分とフランジ部４２の外周部分との間には、キャップ部材３５と負極端子３３とが直接接続しないように絶縁リング３６が介在されている。絶縁リング３６は、薄い絶縁シートを用いて円環に形成されており、断面Ｌ字状に折り曲げられた状態でキャップ部材３５内に配置されている。この絶縁リング３６を設けることによって、負極端子３３とキャップ部材３５とがＰＴＣ素子３４を介して接続される。このようにすると、電池１０の放電電流がＰＴＣ素子３４を介して流れるため、ＰＴＣ素子３４によって過電流を防止することが可能となる。
【００３３】
本実施の形態の封口体１５において、フランジ部４２とキャップ部材３５との間に介在される絶縁リング３６の内周端は、キャップ部材３５の折り曲げられた外周端よりも内側に突出している。つまり、フランジ部４２の下面において絶縁リング３６の内周端とキャップ部材３５の外周端とが段差状に配置されている。そして、キャップ部材３５の外周端及び絶縁リング３６の内周端とフランジ部４２との間に形成される段差部分４７が樹脂製パッキング３２に埋まり込んでいる。封口体１５は、樹脂のインサート成形によって各部材３１，３２，３３，３４，３５，３６が一体的に形成されている。そして、封口体１５における封口板３１の外周部が正極缶１１の内周面に接触しており、その接触部がレーザ溶接によって接続されている。このように、封口体１５が正極缶１１の開口部１３に装着されることで、リチウム一次電池１０内が密閉封止される。
【００３４】
図１〜図４に示されるように、本実施形態の封口体１５では、端子本体３０の底部３０ｂにおける略中央部に円形状のガス排出孔５１が透設されている。また、底部３０ｂの内面側には、例えばラミネート樹脂からなりガス排出孔５１よりも一回り大きい樹脂片５２（ガス排出弁）が接着剤等を用いて取り付けられている。その結果、樹脂片５２によってガス排出孔５１が底部３３ｂの内面側から塞がれた状態となっている。
【００３５】
次に、本実施の形態のリチウム一次電池１０の製造方法について説明する。
【００３６】
先ず、封口体１５を樹脂のインサート成形により一体的に形成する。具体的には、プレス機を用いて金属製板材を押し潰すことにより、有底中空状の端子本体３０とフランジ部４２とを有する負極端子３３を形成する。プレスの際に同時にガス排出孔５１を形成してもよい。その後、ガス排出孔５１は樹脂片５２で閉塞しておく。また、円板状に打ち抜いた金属板を用意するとともに、絶縁シートを用いて円環に形成した絶縁リング３６を用意する。さらに、ＰＴＣ素子３４を用意するとともに、封口板３１を用意する。そして、負極端子３３のフランジ部４２の上面にＰＴＣ素子３４を配置し、そのＰＴＣ素子３４を覆うように金属板を配置する。その後、絶縁リング３６をフランジ部４２の裏面側に嵌め込み、金属板の外周縁をかしめてキャップ部材３５を形成する。このように、キャップ部材３５を負極端子３３のフランジ部４２に装着することにより、ＰＴＣ素子３４を固定する。なおここでは、ＰＴＣ素子３４の接続性を高めるために、素子表面とキャップ部材３５との接触面及び素子裏面とフランジ部４２との接触面をはんだや導電性接着剤等によって接続してもよい。
【００３７】
次に、インサート成形用金型内の所定の位置に、ＰＴＣ素子３４及びキャップ部材３５を装着した負極端子３３と封口板３１とを挿入する。そして、樹脂製パッキング３２となる樹脂材料を金型内に注入してインサート成形を行い、封口体１５を一体的に形成する。
【００３８】
また、帯状に形成した正極２１、負極２２及びセパレータ２３を用意し、正極２１の端部及び負極２２の端部にリード部材３７，３８を圧着する。そして、正極２１と負極２２とをセパレータ２３を介して重ね合わせ、それらを巻回することで電極体１２を形成する。さらに、電極体１２を正極缶１１内に収容し、正極２１のリード部材３８を正極缶１１の内側壁に溶接接続するとともに、負極２２のリード部材３７を封口体１５における負極端子３３の下端面（即ち端子本体３０の底部３０ｂの外側面）に溶接接続する。本実施形態の場合、端子本体３０の底部３０ｂにはガス排出孔５１があらかじめ形成されていることから、ガス排出孔５１を塞がないようにそれを避けてリード部材３７を溶接してもよい。あるいは、ガス排出孔５１を塞がないようにリード部材３７自体に貫通孔を設けるようにしてもよい。
【００３９】
次に、正極缶１１内に非水電解液を注入し、正極缶１１の開口部１３に封口体１５を嵌め込む。その後、封口体１５（封口板３１）の外周部をレーザ溶接することで正極缶１１を密閉封止する。以上の工程を経て図１のリチウム一次電池１０を製造する。
【００４０】
従って、本実施の形態によれば以下の効果を得ることができる。
【００４１】
（１）本実施の形態の封口体１５は、樹脂のインサート成形によって一体的に形成されている。このように封口体１５を形成すると、ＰＴＣ素子３４に大きな負荷を加えることなく、ＰＴＣ素子３４を内蔵することができる。また、有底中空状の端子本体３０に内圧解放用の樹脂製のガス排出弁としての樹脂片５２を内蔵しているため、電池内圧の上昇時には樹脂片５２を上方に押し上げる力が作用する。そして、その内圧が所定値を超えると樹脂片５２が裂け、閉塞状態であった弁が開放状態となる結果、圧力が速やかに解放される。よって、この封口体１５を用いることで、リチウム一次電池１０の安全性をよりいっそう向上させることができる。しかも、加工性やコスト性に優れた樹脂製の部材を弁体として用いていることから、金属製部材に対する溝加工が不要になり、製造コスト高を回避することができる。
（２）また、本実施の形態の封口体１５では、キャップ部材３５の外周端及び絶縁リング３６の内周端とフランジ部４２との間に形成される段差部分４７が樹脂製パッキング３２に埋まり込んでいる。それゆえ、端子軸方向の長さを短く形成することができる。さらに、封口体１５において樹脂製パッキング３２の接触面積が増えるため、封止性を十分に高めることができる。また、封口体１５は、従来技術のリベット方式の場合のようにワッシャ５５を用いなくてもよいため、部品点数を減らすことができる。さらに、ワッシャ５５の体積分だけ正極缶１１内の容量を確保することができるため、正極缶１１内における電解液や電極活物質を増量でき、リチウム一次電池１０の放電特性を高めることができる。
【００４２】
（３）本実施の形態の封口体１５では、端子本体３０を有底中空状とし、その底部３０ｂにガス排出孔５１を透設し、そのガス排出孔５１を塞ぐように底部３０ｂの内面側に樹脂片５２を接着して配置している。そして、この構成によると、端子本体３０の内部に樹脂片５２を設置可能なスペースができることになり、樹脂片５２を容易に設けることができるという利点がある。また、ここで使用する樹脂片５２は単純な形状の部材であるため、低コスト化に有利である。
（４）本実施の形態の封口体１５において、負極端子３３の端子本体３０は、フランジ部４２ある缶外側端部から缶内側端部に行くに従って径が大きくなるようテーパ状に形成されている。このように端子本体３０を形成すると、テーパ状の側壁部分が楔となって負極端子３３が抜け難くなり、封口体１５の部品信頼性が向上する。
【００４３】
（５）本実施の形態では、ＰＴＣ素子３４を内蔵した封口体１５が一体的に形成されているので、電池組み付け時における部品点数を少なくすることができる。また、リチウム一次電池１０の組み付け後にＰＴＣ素子３４を取り付ける必要がないため、リチウム一次電池１０の生産性が向上し、製造コストを抑えることができる。
【００４４】
なお、本発明の実施の形態は以下のように変更してもよい。
【００４５】
・上記実施の形態では、ガス排出弁として樹脂片５２を用いたがこれに限定されず、他の形状を有するものとしてもよい。例えば、図５に示す別の実施形態の封口体１５Ａのように、プラグ状の樹脂部材５５をガス排出弁として用い、これを端子本体３０の内面側からガス排出孔５１に嵌着した構造としてもよい。この構成によると、電池内圧の上昇時にはプラグ状の樹脂部材５５を上方に押し上げる力が作用する。そして、その内圧が所定値を超えるとプラグ状の樹脂部材５５がガス排出孔５１から外れ、閉塞状態であった弁が開放状態となる結果、圧力が速やかに解放される。
【００４６】
・上記実施の形態の封口体１５，１５Ａでは、負極端子３３の端子本体３０がその軸方向から見て楕円形状となるように形成されていたが、楕円形状以外の非円形状（三角形状、四角形状など）となるよう形成してもよい。また、端子本体３０の外周面に凸部または凹部を設けて非円形状の端子とし、負極端子３３の回転を規制するように構成してもよい。
【００４７】
・上記実施の形態の封口体１５，１５Ａでは、負極端子３３，３３Ａのフランジ部４２の上面側にＰＴＣ素子３４を配置していたが、これに限定されるものではなく、例えばフランジ部４２の下面側にＰＴＣ素子３４を配置してもよい。
【００４８】
・上記実施の形態では、リチウム一次電池１０に具体化したが、ニッケル−水素電池やリチウム二次電池などの他の密閉型電池に具体化してもよい。
【００４９】
次に、特許請求の範囲に記載された技術的思想のほかに、前述した実施の形態によって把握される技術的思想を以下に列挙する。
【００５０】
（１）手段１乃至４のいずれか１項において、前記ＰＴＣ素子は、中心部に貫通孔を有する円板状に形成されていることを特徴とする密閉型電池用封口体。
【００５１】
（２）手段１乃至４のいずれか１項において、前記端子本体は、その軸方向から見て楕円形状となるよう形成されていることを特徴とする密閉型電池用封口体。
【００５２】
（３）手段１乃至４のいずれか１項において、前記端子本体の外周面には、周方向の回転を規制するための凸部または凹部が設けられていることを特徴とする密閉型電池用封口体。
【００５３】
（４）手段１乃至４のいずれか１項において、前記キャップ部材において折り曲げられた外周端と前記フランジ部との間に形成される段差部分が前記樹脂製パッキングに埋まり込んでいることを特徴とする密閉型電池用封口体。
【符号の説明】
【００５４】
１０…密閉型電池としてのリチウム一次電池
１１…電池缶としての正極缶
１３…開口部
１５，１５Ａ…封口体
３０…端子本体
３０ｂ…（端子本体の）底部
３１…封口板
３２…樹脂製パッキング
３３…端子としての負極端子
３４…ＰＴＣ素子
３５…キャップ部材
３６…絶縁シートからなる絶縁リング
４１…封口板の貫通孔
４２…フランジ部
４９…絶縁シート
５１…ガス排出孔
５２…ガス排出弁としての樹脂片
５５…ガス排出弁としてのプラグ状の樹脂部材
【図１】
0005968072.tif 000002
【図２】
0005968072.tif 000003
【図３】
0005968072.tif 000004
【図４】
0005968072.tif 000005
【図５】
0005968072.tif 000006
【図６】
0005968072.tif 000007
【図７】
0005968072.tif 000008